(57)【要約】      （修正有）【課題】回動可能な操作部材の調整により行っている従来のズーム走査の操作性を向上させる。【解決手段】ディジタルカメラ１０にはイメージセンサ１６，ズームレンズ１２，およびＣＰＵ２６が設けられる。イメージセンサ１６は、ズームレンズ１２を通して捉えられた光学像に対応する電子画像を出力する。ＣＰＵ２６は、イメージセンサ１６から出力された電子画像のうち抽出領域に属する一部の電子画像を抽出し、また、第１ズーム倍率を参照して前記ズームレンズ１２の配置を調整し、第２ズーム倍率を参照して前記抽出領域のサイズを調整する。外部制御装置５０のＣＰＵ５２は、ズーム倍率を入力し、抽出位置を入力する。ＣＰＵ５２はまた、ＣＰＵ２６によって参照される第１ズーム倍率および第２ズーム倍率を入力されたズーム倍率に基づいて調整し、その調整態様を入力された抽出位置に応じて異なる態様に設定する。【選択図】図２
2013098636.tif 000002
【特許請求の範囲】
【請求項１】
電子カメラと外部制御装置とを備えるカメラシステムであって、
前記電子カメラは、
ズームレンズを通して捉えられた光学像に対応する電子画像を出力する撮像手段、
前記撮像手段から出力された電子画像のうち抽出領域に属する一部の電子画像を抽出する抽出手段、
第１ズーム倍率を参照して前記ズームレンズの配置を調整する配置調整手段、および
第２ズーム倍率を参照して前記抽出領域のサイズを調整するサイズ調整手段を備え、
前記外部制御装置は、
ズーム倍率を入力する倍率入力手段、
抽出位置を入力する位置入力手段、
前記配置調整手段によって参照される第１ズーム倍率および前記サイズ調整手段によって参照される第２ズーム倍率を前記倍率入力手段によって入力されたズーム倍率に基づいて調整する倍率調整手段、および
前記倍率調整手段の調整態様を前記位置入力手段によって入力された抽出位置に応じて異なる態様に設定する制御手段を備える、カメラシステム。
【請求項２】
前記倍率調整手段は、前記第１ズーム倍率の値を前記倍率入力手段によって入力されたズーム倍率の値を下回る値に設定する第１設定手段、および前記第２ズーム倍率の値を前記倍率入力手段によって入力されたズーム倍率と前記第１設定手段によって設定された第１ズーム倍率との相違が補償される値に設定する第２設定手段を含む、請求項１記載のカメラシステム。
【請求項３】
前記外部制御装置は抽出位置を設定する第３設定手段をさらに備え、
前記電子カメラは前記第３設定手段によって設定された抽出位置を参照して前記抽出領域の配置を調整する第３調整手段をさらに備える、請求項１または２記載のカメラシステム。
【請求項４】
前記電子カメラは前記抽出手段によって抽出された電子画像の解像度を調整する第４調整手段をさらに備える、請求項１ないし３のいずれかに記載のカメラシステム。
【請求項５】
前記外部制御装置は前記制御手段の処理に用いられる係数を設定する第４設定手段をさらに備える、請求項１ないし４のいずれかに記載のカメラシステム。
【請求項６】
前記外部制御装置は記録指示を受け付ける受け付け手段をさらに備え、
前記電子カメラは前記受け付け手段の処理に関連して前記サイズ調整手段の処理が施された電子画像を記録する記録手段をさらに備える、請求項１ないし５のいずれかに記載のカメラシステム。
【請求項７】
ズームレンズを通して捉えられた光学像に対応する電子画像を出力する撮像手段、前記撮像手段から出力された電子画像のうち抽出領域に属する一部の電子画像を抽出する抽出手段、第１ズーム倍率を参照して前記ズームレンズの配置を調整する配置調整手段、および第２ズーム倍率を参照して前記抽出領域のサイズを調整するサイズ調整手段を備える電子カメラに接続される外部制御装置であって、
ズーム倍率を入力する倍率入力手段、
抽出位置を入力する位置入力手段、
前記配置調整手段によって参照される第１ズーム倍率および前記サイズ調整手段によって参照される第２ズーム倍率を前記倍率入力手段によって入力されたズーム倍率に基づいて調整する倍率調整手段、および
前記倍率調整手段の調整態様を前記位置入力手段によって入力された抽出位置に応じて異なる態様に設定する制御手段を備える、外部制御装置。
【請求項８】
ズームレンズを通して捉えられた光学像に対応する電子画像を出力する撮像手段、前記撮像手段から出力された電子画像のうち抽出領域に属する一部の電子画像を抽出する抽出手段、第１ズーム倍率を参照して前記ズームレンズの配置を調整する配置調整手段、および第２ズーム倍率を参照して前記抽出領域のサイズを調整するサイズ調整手段を備える電子カメラに接続される外部制御装置のプロセッサに、
ズーム倍率を入力する倍率入力ステップ、
抽出位置を入力する位置入力ステップ、
前記配置調整手段によって参照される第１ズーム倍率および前記サイズ調整手段によって参照される第２ズーム倍率を前記倍率入力ステップによって入力されたズーム倍率に基づいて調整する倍率調整ステップ、および
前記倍率調整ステップの調整態様を前記位置入力ステップによって入力された抽出位置に応じて異なる態様に設定する制御ステップを実行させるための、撮像制御プログラム。
【請求項９】
ズームレンズを通して捉えられた光学像に対応する電子画像を出力する撮像手段、前記撮像手段から出力された電子画像のうち抽出領域に属する一部の電子画像を抽出する抽出手段、第１ズーム倍率を参照して前記ズームレンズの配置を調整する配置調整手段、および第２ズーム倍率を参照して前記抽出領域のサイズを調整するサイズ調整手段を備える電子カメラに接続される外部制御装置によって実行される撮像制御方法であって、
ズーム倍率を入力する倍率入力ステップ、
抽出位置を入力する位置入力ステップ、
前記配置調整手段によって参照される第１ズーム倍率および前記サイズ調整手段によって参照される第２ズーム倍率を前記倍率入力ステップによって入力されたズーム倍率に基づいて調整する倍率調整ステップ、および
前記倍率調整ステップの調整態様を前記位置入力ステップによって入力された抽出位置に応じて異なる態様に設定する制御ステップを備える、撮像制御方法。
【請求項１０】
ズームレンズを通して捉えられた光学像に対応する電子画像を出力する撮像手段、前記撮像手段から出力された電子画像のうち抽出領域に属する一部の電子画像を抽出する抽出手段、第１ズーム倍率を参照して前記ズームレンズの配置を調整する配置調整手段、および第２ズーム倍率を参照して前記抽出領域のサイズを調整するサイズ調整手段を備える電子カメラに接続され、メモリに保存された内部制御プログラムに従う処理を実行するプロセッサを備える外部制御装置に供給される外部制御プログラムであって、
ズーム倍率を入力する倍率入力ステップ、
抽出位置を入力する位置入力ステップ、
前記配置調整手段によって参照される第１ズーム倍率および前記サイズ調整手段によって参照される第２ズーム倍率を前記倍率入力ステップによって入力されたズーム倍率に基づいて調整する倍率調整ステップ、および
前記倍率調整ステップの調整態様を前記位置入力ステップによって入力された抽出位置に応じて異なる態様に設定する制御ステップを前記内部制御プログラムと協働して前記プロセッサに実行させるための、外部制御プログラム。
【請求項１１】
ズームレンズを通して捉えられた光学像に対応する電子画像を出力する撮像手段、前記撮像手段から出力された電子画像のうち抽出領域に属する一部の電子画像を抽出する抽出手段、第１ズーム倍率を参照して前記ズームレンズの配置を調整する配置調整手段、および第２ズーム倍率を参照して前記抽出領域のサイズを調整するサイズ調整手段を備える電子カメラに接続され、
外部制御プログラムを受信する受信手段、および
前記受信手段によって受信された外部制御プログラムとメモリに保存された内部制御プログラムとに従う処理を実行するプロセッサを備える外部制御装置であって、
前記外部制御プログラムは、
ズーム倍率を入力する倍率入力ステップ、
抽出位置を入力する位置入力ステップ、
前記配置調整手段によって参照される第１ズーム倍率および前記サイズ調整手段によって参照される第２ズーム倍率を前記倍率入力ステップによって入力されたズーム倍率に基づいて調整する倍率調整ステップ、および
前記倍率調整ステップの調整態様を前記位置入力ステップによって入力された抽出位置に応じて異なる態様に設定する制御ステップを前記内部制御プログラムと協働して実行するプログラムに相当する、外部制御装置。
【発明の詳細な説明】
【技術分野】
【０００１】
この発明は、カメラシステムに関し、特に撮像操作を支援する、カメラシステムに関する。
【背景技術】
【０００２】
この種のカメラシステムの一例が、特許文献１に開示されている。この背景技術によれば、カメラ本体が操作部材を有し、該操作部材はカメラ本体に対して突出した第１の状態と収納された第２の状態とに保持可能に構成されている。このような操作部材の外周に、回動可能に保持された操作部材を有し、該操作部材の回動操作により撮影画角の切換えを行う。
【先行技術文献】
【特許文献】
【０００３】
【特許文献１】特開２０００−３３０１７５号公報
【発明の概要】
【発明が解決しようとする課題】
【０００４】
しかし、背景技術では、撮影画像に含まれる範囲を変更するために、操作部材を回動する操作が必要なので、回動可能な部材を設ける必要があり、カメラシステムのサイズの大型化や製造コスト上昇の要因となるおそれがある。また、このような部材を設けないとすると、カメラから離れた場所でのセルフ撮影などの場合に、移動してカメラの向きを調整する必要があり、操作性が低下するおそれがある。
【０００５】
それゆえに、この発明の主たる目的は、操作性を高めることができる、カメラシステムを提供することである。
【課題を解決するための手段】
【０００６】
この発明に従うカメラシステム(100：実施例で相当する参照符号。以下同じ)は、電子カメラ(10)と外部制御装置(50)とを備えるカメラシステム(100)であって、前記電子カメラは、ズームレンズ(12)を通して捉えられた光学像に対応する電子画像を出力する撮像手段(16)、前記撮像手段から出力された電子画像のうち抽出領域に属する一部の電子画像を抽出する抽出手段(32b)、第１ズーム倍率を参照して前記ズームレンズの配置を調整する配置調整手段(S95, S99)、および第２ズーム倍率を参照して前記抽出領域のサイズを調整するサイズ調整手段(S103)を備え、前記外部制御装置は、ズーム倍率を入力する倍率入力手段(S9, S23)、抽出位置を入力する位置入力手段(S35)、前記配置調整手段によって参照される第１ズーム倍率および前記サイズ調整手段によって参照される第２ズーム倍率を前記倍率入力手段によって入力されたズーム倍率に基づいて調整する倍率調整手段(S41, S49)、および前記倍率調整手段の調整態様を前記位置入力手段によって入力された抽出位置に応じて異なる態様に設定する制御手段(S37, S39, S49)を備える。
【０００７】
好ましくは、前記倍率調整手段は、前記第１ズーム倍率の値を前記倍率入力手段によって入力されたズーム倍率の値を下回る値に設定する第１設定手段(S41)、および前記第２ズーム倍率の値を前記倍率入力手段によって入力されたズーム倍率と前記第１設定手段によって設定された第１ズーム倍率との相違が補償される値に設定する第２設定手段(S49)を含む。
【０００８】
好ましくは、前記外部制御装置は抽出位置を設定する第３設定手段(S47)をさらに備え、前記電子カメラは前記第３設定手段によって設定された抽出位置を参照して前記抽出領域の配置を調整する第３調整手段(S101)をさらに備える。
【０００９】
好ましくは、前記電子カメラは前記抽出手段によって抽出された電子画像の解像度を調整する第４調整手段(S81)をさらに備える。
【００１０】
好ましくは、前記外部制御装置は前記制御手段の処理に用いられる係数を設定する第４設定手段(S57, S59)をさらに備える。
【００１１】
好ましくは、前記外部制御装置は記録指示を受け付ける受け付け手段(S63)をさらに備え、前記電子カメラは前記受け付け手段の処理に関連して前記サイズ調整手段の処理が施された電子画像を記録する記録手段(S107, S109)をさらに備える。
【００１２】
この発明に従う外部制御装置は、ズームレンズ(12)を通して捉えられた光学像に対応する電子画像を出力する撮像手段(16)、前記撮像手段から出力された電子画像のうち抽出領域に属する一部の電子画像を抽出する抽出手段(32b)、第１ズーム倍率を参照して前記ズームレンズの配置を調整する配置調整手段(S95, S99)、および第２ズーム倍率を参照して前記抽出領域のサイズを調整するサイズ調整手段(S103)を備える電子カメラ(10)に接続される外部制御装置(50)であって、ズーム倍率を入力する倍率入力手段(S9, S23)、抽出位置を入力する位置入力手段(S35)、前記配置調整手段によって参照される第１ズーム倍率および前記サイズ調整手段によって参照される第２ズーム倍率を前記倍率入力手段によって入力されたズーム倍率に基づいて調整する倍率調整手段(S41, S49)、および前記倍率調整手段の調整態様を前記位置入力手段によって入力された抽出位置に応じて異なる態様に設定する制御手段(S37, S39, S49)を備える。
【００１３】
この発明に従う撮像制御プログラムは、ズームレンズ(12)を通して捉えられた光学像に対応する電子画像を出力する撮像手段(16)、前記撮像手段から出力された電子画像のうち抽出領域に属する一部の電子画像を抽出する抽出手段(32b)、第１ズーム倍率を参照して前記ズームレンズの配置を調整する配置調整手段(S95, S99)、および第２ズーム倍率を参照して前記抽出領域のサイズを調整するサイズ調整手段(S103)を備える電子カメラ(10)に接続される外部制御装置(50)のプロセッサ(52)に、ズーム倍率を入力する倍率入力ステップ(S9, S23)、抽出位置を入力する位置入力ステップ(S35)、前記配置調整手段によって参照される第１ズーム倍率および前記サイズ調整手段によって参照される第２ズーム倍率を前記倍率入力ステップによって入力されたズーム倍率に基づいて調整する倍率調整ステップ(S41, S49)、および前記倍率調整ステップの調整態様を前記位置入力ステップによって入力された抽出位置に応じて異なる態様に設定する制御ステップ(S37, S39, S49)を実行させるための、撮像制御プログラムである。
【００１４】
この発明に従う撮像制御方法は、ズームレンズ(12)を通して捉えられた光学像に対応する電子画像を出力する撮像手段(16)、前記撮像手段から出力された電子画像のうち抽出領域に属する一部の電子画像を抽出する抽出手段(32b)、第１ズーム倍率を参照して前記ズームレンズの配置を調整する配置調整手段(S95, S99)、および第２ズーム倍率を参照して前記抽出領域のサイズを調整するサイズ調整手段(S103)を備える電子カメラ(10)に接続される外部制御装置(50)によって実行される撮像制御方法であって、ズーム倍率を入力する倍率入力ステップ(S9, S23)、抽出位置を入力する位置入力ステップ(S35)、前記配置調整手段によって参照される第１ズーム倍率および前記サイズ調整手段によって参照される第２ズーム倍率を前記倍率入力ステップによって入力されたズーム倍率に基づいて調整する倍率調整ステップ(S41, S49)、および前記倍率調整ステップの調整態様を前記位置入力ステップによって入力された抽出位置に応じて異なる態様に設定する制御ステップ(S37, S39, S49)を備える。
【００１５】
この発明に従う外部制御プログラムは、ズームレンズ(12)を通して捉えられた光学像に対応する電子画像を出力する撮像手段(16)、前記撮像手段から出力された電子画像のうち抽出領域に属する一部の電子画像を抽出する抽出手段(32b)、第１ズーム倍率を参照して前記ズームレンズの配置を調整する配置調整手段(S95, S99)、および第２ズーム倍率を参照して前記抽出領域のサイズを調整するサイズ調整手段(S103)を備える電子カメラ(10)に接続され、メモリ(64)に保存された内部制御プログラムに従う処理を実行するプロセッサ(52)を備える外部制御装置(50)に供給される外部制御プログラムであって、ズーム倍率を入力する倍率入力ステップ(S9, S23)、抽出位置を入力する位置入力ステップ(S35)、前記配置調整手段によって参照される第１ズーム倍率および前記サイズ調整手段によって参照される第２ズーム倍率を前記倍率入力ステップによって入力されたズーム倍率に基づいて調整する倍率調整ステップ(S41, S49)、および前記倍率調整ステップの調整態様を前記位置入力ステップによって入力された抽出位置に応じて異なる態様に設定する制御ステップ(S37, S39, S49)を前記内部制御プログラムと協働して前記プロセッサに実行させるための、外部制御プログラムである。
【００１６】
この発明に従う外部制御装置は、ズームレンズ(12)を通して捉えられた光学像に対応する電子画像を出力する撮像手段(16)、前記撮像手段から出力された電子画像のうち抽出領域に属する一部の電子画像を抽出する抽出手段(32b)、第１ズーム倍率を参照して前記ズームレンズの配置を調整する配置調整手段(S95, S99)、および第２ズーム倍率を参照して前記抽出領域のサイズを調整するサイズ調整手段(S103)を備える電子カメラ(10)に接続され、外部制御プログラムを受信する受信手段(66)、および前記受信手段によって受信された外部制御プログラムとメモリ(64)に保存された内部制御プログラムとに従う処理を実行するプロセッサ(52)を備える外部制御装置(50)であって、前記外部制御プログラムは、ズーム倍率を入力する倍率入力ステップ(S9, S23)、抽出位置を入力する位置入力ステップ(S35)、
【００１７】
前記配置調整手段によって参照される第１ズーム倍率および前記サイズ調整手段によって参照される第２ズーム倍率を前記倍率入力ステップによって入力されたズーム倍率に基づいて調整する倍率調整ステップ(S41, S49)、および前記倍率調整ステップの調整態様を前記位置入力ステップによって入力された抽出位置に応じて異なる態様に設定する制御ステップ(S37, S39, S49)を前記内部制御プログラムと協働して実行するプログラムに相当する。
【発明の効果】
【００１８】
第１ズーム倍率を参照して配置が調整されたズームレンズを通して捉えられた電子画像のうち、第２ズーム倍率を参照してサイズが調整された抽出領域に属する一部の電子画像が抽出される。このような第１ズーム倍率および第２ズーム倍率は、入力されたズーム倍率に基づいて調整される。また、この調整は、入力された抽出位置に応じて異なる態様に設定される。
【００１９】
このため、ズーム倍率および抽出位置の入力を変化させたとしても、入力に応じてサイズが調整された抽出画像を、得ることができる。したがって、カメラの向きを変えることなく高品質な抽出画像を得ることができ、操作性が向上する。
【００２０】
この発明の上述の目的，その他の目的，特徴および利点は、図面を参照して行う以下の実施例の詳細な説明から一層明らかとなろう。
【図面の簡単な説明】
【００２１】
【図１】この発明の一実施例の基本的構成を示すブロック図である。
【図２】この発明の一実施例の構成を示すブロック図である。
【図３】図２実施例に適用されるＳＤＲＡＭのマッピング状態の一例を示す図解図である。
【図４】外部制御装置に表示されるスルー画像の一例を示す図解図である。
【図５】外部制御装置に対して行われる操作の一例を示す図解図である。
【図６】外部制御装置に対して行われる操作の他の一例を示す図解図である。
【図７】ズーム倍率算出処理の一部を示す図解図である。
【図８】ズーム倍率算出処理の他の一部を示す図解図である。
【図９】光学ズームアウト処理の一部を示す図解図である。
【図１０】ディジタルズームイン処理の一部を示す図解図である。
【図１１】外部制御装置に表示されるスルー画像の他の一例を示す図解図である。
【図１２】図２実施例の動作の一部を示す図解図である。
【図１３】外部制御装置に表示される設定変更画面の一例を示す図解図である。
【図１４】外部制御装置に表示される演出画面の一例を示す図解図である。
【図１５】図２実施例に適用されるＣＰＵの動作の一部を示すフロー図である。
【図１６】図２実施例に適用されるＣＰＵの動作の他の一部を示すフロー図である。
【図１７】図２実施例に適用されるＣＰＵの動作のその他の一部を示すフロー図である。
【図１８】図２実施例に適用されるＣＰＵの動作のさらにその他の一部を示すフロー図である。
【図１９】図２実施例に適用される他のＣＰＵの動作の一部を示すフロー図である。
【図２０】図２実施例に適用される他のＣＰＵの動作の他の一部を示すフロー図である。
【発明を実施するための形態】
【００２２】
以下、この発明の実施の形態を図面を参照しながら説明する。
［基本的構成］
【００２３】
図１を参照して、この実施例のカメラシステムは、基本的に次のように構成される。撮像手段１は、ズームレンズを通して捉えられた光学像に対応する電子画像を出力する。抽出手段２は、前記撮像手段１から出力された電子画像のうち抽出領域に属する一部の電子画像を抽出する。配置調整手段３は、第１ズーム倍率を参照して前記ズームレンズの配置を調整する。サイズ調整手段４は、第２ズーム倍率を参照して前記抽出領域のサイズを調整する。電子カメラ１０は、このような撮像手段１，抽出手段２，配置調整手段３，およびサイズ調整手段４を備える。
【００２４】
倍率入力手段５はズーム倍率を入力する。位置入力手段６は抽出位置を入力する。倍率調整手段７は、前記配置調整手段３によって参照される第１ズーム倍率および前記サイズ調整手段４によって参照される第２ズーム倍率を前記倍率入力手段５によって入力されたズーム倍率に基づいて調整する。制御手段８は、前記倍率調整手段７の調整態様を前記位置入力手段６によって入力された抽出位置に応じて異なる態様に設定する。外部制御装置５０は、このような倍率入力手段５，位置入力手段６，倍率調整手段７，および制御手段８を備える。
【００２５】
第１ズーム倍率を参照して配置が調整されたズームレンズを通して捉えられた電子画像のうち、第２ズーム倍率を参照してサイズが調整された抽出領域に属する一部の電子画像が抽出される。このような第１ズーム倍率および第２ズーム倍率は、入力されたズーム倍率に基づいて調整される。また、この調整は、入力された抽出位置に応じて異なる態様に設定される。
【００２６】
このため、ズーム倍率および抽出位置の入力を変化させたとしても、入力に応じてサイズが調整された抽出画像を、得ることができる。したがって、カメラの向きを変えることなく高品質な抽出画像を得ることができ、操作性が向上する。
［実施例］
【００２７】
図２を参照して、この実施例のカメラシステム１００は、ディジタルカメラ１０および外部制御装置５０を含む。ディジタルカメラ１０は、ドライバ１８ａおよび１８ｂによってそれぞれ駆動されるズームレンズ１２および絞りユニット１４を含む。これらの部材を経たシーンの光学像は、ドライバ１８ｃによって駆動されるイメージセンサ１６の撮像面に照射され、光電変換を施される。これによって、シーンを表す電荷が生成される。
【００２８】
ディジタルカメラ１０が起動されると、ＣＰＵ２６は、動画取り込み処理を実行するべく、ドライバ１８ｃに露光動作および電荷読み出し動作の繰り返しを命令する。ドライバ１８ｃは、図示しないＳＧ(SignalGenerator)から周期的に発生する垂直同期信号Ｖｓｙｎｃに応答して、撮像面を露光し、かつ撮像面で生成された電荷をラスタ走査態様で読み出す。イメージセンサ１６からは、読み出された電荷に基づく生画像データが周期的に出力される。
【００２９】
信号処理回路２０は、イメージセンサ１６から出力された生画像データに白バランス調整，色分離，ＹＵＶ変換などの処理を施し、これによって生成されたＹＵＶ形式の取り込み画像データをメモリ制御回路３０を通してＳＤＲＡＭ３２の取り込み画像エリア３２ａ（図３参照）に書き込む。
【００３０】
ＣＰＵ２６は、取り込み画像エリア３２ａに格納された取り込み画像データをメモリ制御回路３０を通して読み出し、読み出された取り込み画像データに後述するディジタルズームイン処理を施す。これによって取り込み画像データから生成された抽出画像データは、メモリ制御回路３０を通してＳＤＲＡＭ３２の抽出画像エリア３２ｂ（図３参照）に書き込まれる。なお、ディジタルカメラ１０の起動時は、取り込み画像データがそのまま抽出画像データとして抽出画像エリア３２ｂにも書き込まれる。
【００３１】
ＣＰＵ２６はまた、抽出画像エリア３２ｂに格納された抽出画像データに対して、表示用のズーム処理と外部表示用のズーム処理とを並列的に実行する。この結果、表示画像データおよび外部表示画像データが個別に作成される。表示画像データはメモリ制御回路３０によってＳＤＲＡＭ３２の表示画像エリア３２ｃに書き込まれ、外部表示画像データは、メモリ制御回路３０によってＳＤＲＡＭ３２の外部表示画像エリア３２ｄに書き込まれる。
【００３２】
ＬＣＤドライバ３６は、表示画像エリア３２ｃに格納された表示画像データをメモリ制御回路３０を通して繰り返し読み出し、読み出された表示画像データに基づいてＬＣＤモニタ３８を駆動する。この結果、シーンを表すリアルタイム動画像（スルー画像）がＬＣＤモニタ３８に表示される。
【００３３】
外部表示画像エリア３２ｃに格納された外部表示画像データは、通信Ｉ／Ｆ４６および通信Ｉ／Ｆ６６によって制御される無線通信を介して、外部制御装置５０に向けて繰り返し送信される。送信された外部表示画像データは、通信Ｉ／Ｆ６６を通して外部制御装置５０に取り込まれ、メモリ制御回路５４によってＳＤＲＡＭ５６に書き込まれる。
【００３４】
ＬＣＤドライバ５８は、ＳＤＲＡＭ５６に格納された外部表示画像データをメモリ制御回路５４を通して繰り返し読み出し、読み出された外部表示画像データに基づいてＬＣＤモニタ６０を駆動する。この結果、シーンを表すスルー画像がＬＣＤモニタ６０にも表示される。
【００３５】
図４を参照して、テーブルＴＬの上に置かれたサイコロＤＣを含むシーンがディジタルカメラ１０のイメージセンサ１６によって捉えられる。この場合、サイコロＤＣを挟んでディジタルカメラ１０と向かい合った位置にある外部制御装置５０のＬＣＤモニタ６０には、イメージセンサ１６によって捉えられたサイコロＤＣを含むシーンの画像が表示される。したがって、外部制御装置５０側のサイコロＤＣの面が“２”を示す場合であっても、ディジタルカメラ１０側の“５”を示す面が、ＬＣＤモニタ６０に表示される。
【００３６】
ＣＰＵ２６は、キー入力装置２８に対してズーム操作が行われたとき、撮像タスクの下で、ズーム操作の前のズーム倍率およびキー入力装置２８に対する操作に基づいて、光学ズーム処理によるズーム倍率を算出する。算出されたズーム倍率に基づいてドライバ１８ａを通してズームレンズ１２を光軸方向に移動させることによって、ＣＰＵ２６は光学ズームイン処理または光学ズームアウト処理を実行する。この結果、スルー画像の倍率がズーム操作に応じて変化する。
【００３７】
なお、ディジタルカメラ１０にはズームレンズ１２の移動可能範囲などによって最大ズーム倍率および最小ズーム倍率が定められている。ズーム倍率がこのような最大ズーム倍率に達してもなおキー入力装置２８に対してズームイン操作が継続された場合、ＣＰＵ２６は、電子的な画像の拡大によるディジタルズームイン処理を、ズームイン操作に応じて取り込み画像データに施す。この結果、最大ズーム倍率以上に拡大されたスルー画像が、ＬＣＤモニタ３８に表示される。
【００３８】
また、操作者は、ＬＣＤモニタ６０に対するいわゆるピンチ操作によって、外部制御装置５０においてズーム操作を行うこともできる。操作者の２本の指がＬＣＤモニタ６０に触れた状態が維持されたまま、これらの２本の指によって触れられたＬＣＤモニタ６０上の２点の距離が変化すると、この動作がタッチセンサ６２によって検知され、検知結果がＣＰＵ５２に与えられる。これらの２点の距離が広げられた場合（＝ピンチアウト操作）、ＣＰＵ５２は、ズームイン操作が行われたことを認識する。また、これらの２点の距離が縮められた場合（＝ピンチイン操作）、ＣＰＵ５２は、ズームアウト操作が行われたことを認識する。
【００３９】
ズームイン操作またはズームアウト操作が認識されると、ＣＰＵ５２は、既定時間内の２点間の距離の変化量を操作量としてタッチセンサ６２から取得する。ＣＰＵ５２は次に、取得された操作量に後述するパラメータαを乗じて、ズーム変更量を算出する。このようにして算出されたズーム変更量、ズームレンズ１２の位置、および現在のディジタルズームのズーム倍率などに基づいて、ＣＰＵ５２は変更後のズーム倍率を算出する。
【００４０】
ズームイン操作に従って算出されたズーム倍率が最大ズーム倍率以下であった場合、算出されたズーム倍率に基づいて、通信Ｉ／Ｆ４６および通信Ｉ／Ｆ６６によって制御される無線通信を介して、ディジタルカメラ１０に向けて光学ズームイン指示が送信される。また、ズームアウト操作に従って算出されたズーム倍率が最小ズーム倍率以上であった場合、算出されたズーム倍率に基づいて、ディジタルカメラ１０に向けて光学ズームアウト指示が送信される。
【００４１】
ＣＰＵ２６は、通信Ｉ／Ｆ４６を通して光学ズームイン指示または光学ズームアウト指示を受信すると、キー入力装置２８に対してズーム操作が行われたときと同様に、撮像タスクの下で、指定されたズーム倍率に基づいて、光学ズームイン処理または光学ズームアウト処理をそれぞれ実行する。この結果、スルー画像の倍率がピンチ操作に応じて変化する。
【００４２】
一方、ズームイン操作に従って算出されたズーム倍率が最大ズーム倍率を超えた場合、算出されたズーム倍率に基づいて、ディジタルカメラ１０に向けてディジタルズームイン指示が送信される。
【００４３】
ＣＰＵ２６は、通信Ｉ／Ｆ４６を通してディジタルズームイン指示を受信すると、キー入力装置２８に対してズーム操作が行われたときと同様に、指定されたズーム倍率に基づいたディジタルズームイン処理を取り込み画像データに施す。この結果、最大ズーム倍率以上に拡大されたスルー画像が、ＬＣＤモニタ６０に表示される。
【００４４】
なお、ズームアウト操作に従って算出されたズーム倍率が最小ズーム倍率未満であった場合、光学ズームアウト指示およびディジタルズームアウト指示はいずれも送信されない。
【００４５】
また、ＬＣＤモニタ６０に対するズーム操作が継続中であれば、光学ズームイン指示，光学ズームアウト指示，またはディジタルズームイン指示が繰り返し送信される。この結果、スルー画像の倍率が、２本の指の動きに追随して変化する。
【００４６】
図５を参照して、イメージセンサ１６によって捉えられた人物ＨＭ１およびＨＭ２を含むシーンを表すスルー画像が、ＬＣＤモニタ６０にも表示されている。しかし、スルー画像には電柱ＰＬおよび電線ＷＲが映り込んでいる。これらがスルー画像に含まれないようにするために、操作者は、ＬＣＤモニタ６０に対してピンチアウト操作を行うことにより、ズームインを試みる。
【００４７】
ピンチアウト操作に従ってディジタルカメラ１０に向けてズーム指示が送信され、これを受信したＣＰＵ２６はズームレンズ１２を光軸方向に移動させる。この結果、図６を参照して、ＬＣＤモニタ６０に表示されたスルー画像から電柱ＰＬおよび電線ＷＲが除かれ、人物ＨＭ１およびＨＭ２とその周辺部分がＬＣＤモニタ６０に拡大表示される。
【００４８】
しかし、図６に示す例によると、人物ＨＭ１およびＨＭ２の位置が左上に寄っている。これらの位置を中央寄りにするために、操作者は、以下に述べる要領でＬＣＤモニタ６０に対して移動操作を行う。
【００４９】
操作者は、ＬＣＤモニタ６０に対する指でのドラッグ操作によって、外部制御装置５０において移動操作を行うことができる。操作者の１本の指がＬＣＤモニタ６０に触れた状態が維持されたまま、この１本の指によって触れられたＬＣＤモニタ６０上の位置が変化すると、この動作がタッチセンサ６２によって検知され、検知結果がＣＰＵ５２に与えられる。この検知結果により、ＣＰＵ５２は、移動操作が行われたことを認識する。
【００５０】
移動操作が認識されると、ＣＰＵ５２は、既定時間内の位置の変化量を操作量としてタッチセンサ６２から取得し、位置が変化した方向を操作方向としてタッチセンサ６２から取得する。ＣＰＵ５２は次に、取得された操作量に後述するパラメータβを乗じて、移動距離を算出する。
【００５１】
ＣＰＵ５２は、このようにして算出された移動距離および操作方向に基づく移動後の領域をイメージセンサ１６が捉えるために必要な光学ズームアウト処理によるズーム倍率を、算出する。
【００５２】
図７を参照して、移動操作の前にイメージセンサ１６によって捉えられた領域ＡＲ１に対して、操作方向を示す矢印ＤＲおよび移動距離ｄによって、領域ＡＲ１の中心Ｃ１から矢印ＤＲと反対方向に距離ｄだけ離れた点Ｃ２が求められる。移動後の領域ＡＲ２は、このような点Ｃ２を中心とした領域である。このような領域ＡＲ２をイメージセンサ１６が捉えるために、図８を参照して、領域ＡＲＺをイメージセンサ１６が捉えるだけのズーム倍率が算出される。
【００５３】
このようにして算出されたズーム倍率が最小ズーム倍率以上であれば、算出されたズーム倍率に基づいて、ディジタルカメラ１０に向けて光学ズームアウト指示が送信される。
【００５４】
ＣＰＵ２６は、通信Ｉ／Ｆ４６を通して光学ズームアウト指示を受信すると、上述の通り、撮像タスクの下で、指定されたズーム倍率に基づいて、光学ズームアウト処理を実行する。
【００５５】
ＣＰＵ５２は次に、取り込み画像エリア３２ａに格納された取り込み画像データから移動後の領域を抽出するために必要なディジタルズームイン処理によるズーム倍率およびディジタルズームイン処理を施す取り込み画像上の位置を、算出する。
【００５６】
図９を参照して、取り込み画像エリア３２ａに格納された取り込み画像のサイズをＳＺとすると、光学ズームアウト処理後に格納された取り込み画像ＲＧ２における移動後の領域ＡＲ２のサイズは、ＳＺより小さい。このような領域ＡＲ２のサイズをディジタルズームイン処理によって調整するためのズーム倍率Ｚｄは、移動操作前のズーム倍率Ｚ１および移動操作後の光学ズームアウト処理によるズーム倍率Ｚｐを用いて、以下の数１に示す式で求めることができる。
［数１］
Ｚｄ＝Ｚ１／Ｚｐ
【００５７】
このようにして算出されたズーム倍率およびズーム位置に基づいて、ディジタルカメラ１０に向けてディジタルズームイン指示が送信される。
【００５８】
ＣＰＵ２６は、通信Ｉ／Ｆ４６を通してディジタルズームイン指示を受信すると、取り込み画像エリア３２ａに格納された取り込み画像データをメモリ制御回路３０を通して読み出す。ＣＰＵ２６はまた、読み出された取り込み画像データの指定された位置に対して、指定されたズーム倍率に基づいてディジタルズームイン処理を施す。これによって生成された抽出画像データは、上述の通り、メモリ制御回路３０を通してＳＤＲＡＭ３２の抽出画像エリア３２ｂに書き込まれる。
【００５９】
図１０を参照して、上述のようにして算出されたズーム倍率に基づいて、取り込み画像ＲＧ２の領域ＡＲ２に対してディジタルズームイン処理を施すと、サイズがＳＺである抽出画像ＥＧが作成される。
【００６０】
上述の通り、抽出画像エリア３２ｂに格納された抽出画像データからは、外部表示用のズーム処理が施された外部表示画像データが作成され、外部制御装置５０に向けて無線通信を介して繰り返し送信される。また、外部制御装置５０においては、受信された外部表示画像データに基づいてスルー画像がＬＣＤモニタ６０に表示される。したがって、操作者の移動操作に応じて、ＬＣＤモニタ６０に表示されるスルー画像が更新される。
【００６１】
なお、ＬＣＤモニタ６０に対する移動操作が継続中であれば、光学ズームアウト指示およびディジタルズームイン指示が繰り返し送信される。この結果、スルー画像が指の動きに追随して更新される。
【００６２】
また、移動操作に従って算出されたズーム倍率が最小ズーム倍率未満であれば、光学ズームアウト処理を実行できないので、上述の処理は実行されない。
【００６３】
図６に示す例において、人物ＨＭ１およびＨＭ２の位置を中央寄りにするために操作者が矢印方向に移動操作を行った場合、上述の処理が繰り返された後、スルー画像において人物ＨＭ１およびＨＭ２が中央寄りに表示される（図１１参照）。また、このとき、ＬＣＤモニタ６０に表示された領域ＡＲ３と、取り込み画像エリア３２ａに格納された取り込み画像データが示す画像ＲＧ３とは、図１２に示す位置関係となる。
【００６４】
ＬＣＤモニタ６０に対してズーム操作が行われたとき、上述のように、操作量にパラメータαを乗じてズーム変更量が算出される。また、ＬＣＤモニタ６０に対して移動操作が行われたとき、上述のように、操作量にパラメータβを乗じて移動距離が算出される。このようなパラメータαおよびβは、ＬＣＤモニタ６０に対するタッチ操作によって設定変更が可能である。
【００６５】
ＬＣＤモニタ６０に対して設定変更操作が行われると、図１３に示す設定変更画面ＳＴＳがＬＣＤモニタ６０に表示される。図１３に示す例によると、設定変更画面ＳＴＳ上にボタンＢＴ１〜ＢＴ４が表示され、操作者がいずれかにタッチ操作を行うことによって、パラメータαおよびβに設定される値が変更される。
【００６６】
例えば、“２倍”と示されたボタンＢＴ２に対してタッチ操作を行うと、パラメータαおよびβの各々の値は“１倍”が選択されたときの２倍に設定される。したがって、“１倍”が選択されたときの２倍のズーム変更量が算出され、“１倍”が選択されたときの２倍の移動距離が算出される。これによって、ＬＣＤモニタ６０の画面サイズが大きい場合であっても、少ない操作量で所望のズーム操作または移動操作を行うことができる。
【００６７】
ボタンＢＴ１〜ＢＴ４のいずれかに対して選択操作が行われると、設定変更画面ＳＴＳの表示は終了し、スルー画像の表示が再開される。
【００６８】
撮像タスクの下でシャッタボタン２８ｓｈが押し下げられると、静止画取り込み処理および記録処理が実行される。シャッタボタン２８ｓｈが押し下げられた時点の１フレームの抽出画像データは、静止画取り込み処理によってＳＤＲＡＭ３２の記録画像エリア３２ｅに静止画像データとして取り込まれる。また、記録処理によって１つの静止画ファイルが記録媒体４２に作成される。取り込まれた静止画像データは、新規作成された静止画ファイルに記録処理によって記録される。
【００６９】
また、操作者は、ＬＣＤモニタ６０に対するタッチ操作によって、外部制御装置５０において記録操作を行うこともできる。ＬＣＤモニタ６０に対して記録操作が行われたとき、通信Ｉ／Ｆ４６および通信Ｉ／Ｆ６６によって制御される無線通信を介して、ディジタルカメラ１０に向けて記録指示が送信される。
【００７０】
また、ＣＰＵ５２は、ＬＣＤモニタ６０に対して記録操作が行われたとき、図１４に示す演出画面ＥＦＳを既定時間継続してＬＣＤモニタ６０に表示する。演出画面ＥＦＳの表示が終了すると、スルー画像の表示が再開される。
【００７１】
ＣＰＵ２６は、通信Ｉ／Ｆ４６を通して記録指示を受信すると、キー入力装置２８に対して記録操作が行われたときと同様に、静止画取り込み処理および記録処理を実行する。
【００７２】
ＣＰＵ５２は、図１５〜１８に示すフロー図に従う処理を含む複数の処理を並列的に実行する。なお、これらの処理に対応する制御プログラムは、フラッシュメモリ６４に記憶される。ＣＰＵ２６は、図１９および２０に示す撮像タスクを含む複数のタスクを並列的に実行する。なお、これらのタスクに対応する制御プログラムは、フラッシュメモリ４４に記憶される。
【００７３】
図１５を参照して、ディジタルカメラ１０から、通信Ｉ／Ｆ４６および通信Ｉ／Ｆ６６によって制御される無線通信を介して、最大ズーム倍率をステップＳ１で取得し、最小ズーム倍率をステップＳ３で取得する。
【００７４】
ステップＳ５では、通信Ｉ／Ｆ４６および通信Ｉ／Ｆ６６によって制御される無線通信を介して現在のズームレンズ１２の位置を取得する。ステップＳ７では、ＳＤＲＡＭ５６に格納された外部表示画像データに基づいてＬＣＤモニタ６０へのスルー画像の表示を開始する。ステップＳ９ではＬＣＤモニタ６０に対してピンチアウト操作が行われたか否かを判別し、判別結果がＮＯであればステップＳ２３に進む一方、判別結果がＹＥＳであればステップＳ１１に進む。
【００７５】
ステップＳ１１では既定時間内の操作量をタッチセンサ６２から取得する。ステップＳ１３では、取得された操作量にパラメータαを乗じてズーム変更量を算出する。このようにして算出されたズーム変更量、ズームレンズ１２の位置、および現在のディジタルズームのズーム倍率などに基づいて、ステップＳ１５では変更後のズーム倍率を算出する。
【００７６】
ステップＳ１７では、算出されたズーム倍率が最大ズーム倍率以下であるか否かを判別し、判別結果がＮＯであればステップＳ２１に進む一方、判別結果がＹＥＳであればステップＳ１９に進む。
【００７７】
ステップＳ１９では、ステップＳ１５で算出されたズーム倍率に基づいて、通信Ｉ／Ｆ４６および通信Ｉ／Ｆ６６によって制御される無線通信を介して、ディジタルカメラ１０に向けて光学ズームイン指示を送信する。これに対してステップＳ２１では、ステップＳ１５で算出されたズーム倍率に基づき、画像中心を指定して、ディジタルカメラ１０に向けてディジタルズームイン指示を送信する。
【００７８】
ステップＳ２３ではＬＣＤモニタ６０に対してピンチイン操作が行われたか否かを判別し、判別結果がＮＯであればステップＳ３５に進む一方、判別結果がＹＥＳであればステップＳ２５に進む。
【００７９】
ステップＳ２５では既定時間内の操作量をタッチセンサ６２から取得する。ステップＳ２７では、取得された操作量にパラメータαを乗じてズーム変更量を算出する。このようにして算出されたズーム変更量、ズームレンズ１２の位置、および現在のディジタルズームのズーム倍率などに基づいて、ステップＳ２９では変更後のズーム倍率を算出する。
【００８０】
ステップＳ３１では、算出されたズーム倍率が最小ズーム倍率以上であるか否かを判別し、判別結果がＮＯであればステップＳ９に戻る一方、判別結果がＹＥＳであればステップＳ３３に進む。
【００８１】
ステップＳ３３では、ステップＳ２９で算出されたズーム倍率に基づいて、通信Ｉ／Ｆ４６および通信Ｉ／Ｆ６６によって制御される無線通信を介して、ディジタルカメラ１０に向けて光学ズームアウト指示を送信する。
【００８２】
ステップＳ３５ではＬＣＤモニタ６０に対してドラッグ操作が行われたか否かを判別し、判別結果がＮＯであればステップＳ５３に進む一方、判別結果がＹＥＳであればステップＳ３７に進む。
【００８３】
ステップＳ３７では既定時間内の操作量および操作方向をタッチセンサ６２から取得する。ステップＳ３９では、取得された操作量にパラメータβを乗じて移動距離を算出する。算出された移動距離および取得された操作方向に基づく移動後の領域をイメージセンサ１６が捉えるために必要な光学ズームアウト処理によるズーム倍率を、ステップＳ４１で算出する。
【００８４】
ステップＳ４３では、算出されたズーム倍率が最小ズーム倍率以上であるか否かを判別し、判別結果がＮＯであればステップＳ９に戻る一方、判別結果がＹＥＳであればステップＳ４５で、ステップＳ４１で算出されたズーム倍率に基づいて、ディジタルカメラ１０に向けて光学ズームアウト指示を送信する。
【００８５】
取り込み画像エリア３２ａに格納された取り込み画像データから移動後の領域を抽出するために必要な、ディジタルズームイン処理を施す取り込み画像上の位置をステップＳ４７で算出し、ディジタルズームイン処理によるズーム倍率をステップＳ４９で算出する。
【００８６】
ステップＳ４９で算出されたズーム倍率に基づき、ステップＳ４７で算出されたズーム位置を指定して、ステップＳ５１ではディジタルカメラ１０に向けてディジタルズームイン指示を送信する。ステップＳ５１の処理が完了すると、ステップＳ９に戻る。
【００８７】
ステップＳ５３ではＬＣＤモニタ６０に対して設定変更操作が行われたか否かを判別し、判別結果がＮＯであればステップＳ６３に進む一方、判別結果がＹＥＳであればステップＳ５５に進む。
【００８８】
ステップＳ５５では設定変更画面ＳＴＳをＬＣＤモニタ６０に表示し、ステップＳ５７ではＬＣＤモニタ６０に対して選択操作が行われたか否かを繰り返し判別する。判別結果がＮＯからＹＥＳに更新されると、選択操作に従って、パラメータαおよびβの各々の値をステップＳ５９で決定する。ステップＳ６１では設定変更画面ＳＴＳを非表示とする。この結果、スルー画像の表示が再開される。ステップＳ６１の処理が完了すると、ステップＳ９に戻る。
【００８９】
ステップＳ６３ではＬＣＤモニタ６０に対して記録操作が行われたか否かを判別し、判別結果がＮＯであればステップＳ９に戻る一方、判別結果がＹＥＳであればステップＳ６５に進む。
【００９０】
ステップＳ６５では、通信Ｉ／Ｆ４６および通信Ｉ／Ｆ６６によって制御される無線通信を介して、ディジタルカメラ１０に向けて記録指示を送信する。ステップＳ６７では演出画面ＥＦＳをＬＣＤモニタ６０に表示し、ステップＳ６９では既定時間が経過したか否かを繰り返し判別する。判別結果がＮＯからＹＥＳに更新されると、ステップＳ７１では演出画面ＥＦＳを非表示とする。この結果、スルー画像の表示が再開される。ステップＳ７１の処理が完了すると、ステップＳ９に戻る。
【００９１】
図１９を参照して、ステップＳ８１では動画取り込み処理を開始する。この結果、シーンを表すスルー画像がＬＣＤモニタ３８に表示される。ステップＳ８３では、ディジタルカメラ１０に外部制御装置５０が接続されているか否かを判別し、判別結果がＮＯであればステップＳ８９に進み、判別結果がＹＥＳであればステップＳ８５に進む。
【００９２】
ステップＳ８５では、通信Ｉ／Ｆ４６および通信Ｉ／Ｆ６６によって制御される無線通信を介して、外部制御装置５０に向けた外部表示画像データの送信を開始する。ステップＳ８７では、キー入力装置２８およびシャッタボタン２８ｓｈを無効化する。
【００９３】
これに対して、ステップＳ８９では外部制御装置５０に向けた外部表示画像データの送信を停止し、ステップＳ９１ではキー入力装置２８およびシャッタボタン２８ｓｈを有効化する。
【００９４】
ステップＳ９３では、通信Ｉ／Ｆ４６を通して外部制御装置５０から光学ズームイン指示を受信したか否かを判別し、判別結果がＮＯであればステップＳ９７に進む一方、判別結果がＹＥＳであれば指定されたズーム倍率に基づいて光学ズームイン処理をステップＳ９５で実行する。この結果、スルー画像の倍率がピンチ操作に応じて拡大する。ステップＳ９５の処理が完了すると、ステップＳ８３に戻る。
【００９５】
ステップＳ９７では、通信Ｉ／Ｆ４６を通して外部制御装置５０から光学ズームアウト指示を受信したか否かを判別し、判別結果がＮＯであればステップＳ１０１に進む一方、判別結果がＹＥＳであれば指定されたズーム倍率に基づいて光学ズームアウト処理をステップＳ９９で実行する。この結果、スルー画像の倍率がピンチ操作に応じて縮小する。ステップＳ９９の処理が完了すると、ステップＳ８３に戻る。
【００９６】
ステップＳ１０１では、通信Ｉ／Ｆ４６を通して外部制御装置５０からディジタルズームイン指示を受信したか否かを判別し、判別結果がＮＯであればステップＳ１０５に進む一方、判別結果がＹＥＳであればステップＳ１０３に進む。
【００９７】
ステップＳ１０３では、指定されたズーム倍率に基づいたディジタルズームイン処理を取り込み画像の指定位置において施す。この結果、最大ズーム倍率以上に拡大されたスルー画像が表示される。ステップＳ１０３の処理が完了するとステップＳ８３に戻る。
【００９８】
ステップＳ１０５では、キー入力装置２８に対する記録操作または外部制御装置５０からの記録指示の受信があったか否かを判別し、判別結果がＮＯであればステップＳ８３に戻る一方、判別結果がＹＥＳであればステップＳ１０７で静止画取り込み処理を実行し、ステップＳ１０９で記録処理を実行する。この結果、記録操作が行われた時点の１フレームの抽出画像データは、静止画取り込み処理によってＳＤＲＡＭ３２の記録画像エリア３２ｅに静止画像データとして取り込まれる。また、記録処理によって１つの静止画ファイルが記録媒体４２に作成される。取り込まれた静止画像データは、新規作成された静止画ファイルに記録処理によって記録される。ステップＳ１０９の処理が完了すると、ステップＳ８３に戻る。
【００９９】
以上の説明から分かるように、イメージセンサ１６は、ズームレンズ１２を通して捉えられた光学像に対応する電子画像を出力する。ＣＰＵ２６は、イメージセンサ１６から出力された電子画像のうち抽出領域に属する一部の電子画像を抽出する。ＣＰＵ２６はまた、第１ズーム倍率を参照して前記ズームレンズ１２の配置を調整し、第２ズーム倍率を参照して前記抽出領域のサイズを調整する。このようなイメージセンサ１６，ズームレンズ１２，およびＣＰＵ２６は、ディジタルカメラ１０に設けられる。
【０１００】
ＣＰＵ５２は、ズーム倍率を入力し、抽出位置を入力する。ＣＰＵ５２はまた、ＣＰＵ２６によって参照される第１ズーム倍率および第２ズーム倍率を入力されたズーム倍率に基づいて調整し、その調整態様を入力された抽出位置に応じて異なる態様に設定する。このようなＣＰＵ５２は、外部制御装置５０に設けられる。
【０１０１】
第１ズーム倍率を参照して配置が調整されたズームレンズを通して捉えられた電子画像のうち、第２ズーム倍率を参照してサイズが調整された抽出領域に属する一部の電子画像が抽出される。このような第１ズーム倍率および第２ズーム倍率は、入力されたズーム倍率に基づいて調整される。また、この調整は、入力された抽出位置に応じて異なる態様に設定される。
【０１０２】
このため、ズーム倍率および抽出位置の入力を変化させたとしても、入力に応じてサイズが調整された抽出画像を、得ることができる。したがって、カメラの向きを変えることなく高品質な抽出画像を得ることができ、操作性が向上する。
【０１０３】
なお、この実施例では、移動操作が認識されたとき、外部制御装置において光学ズーム倍率，ディジタルズーム位置，およびディジタルズーム倍率を算出し、算出されたこれらの情報をディジタルカメラに送信するようにした。しかし、操作量および操作方向を外部制御装置からディジタルカメラに送信するようにし、他の算出処理をディジタルカメラにおいて実行するようにしてもよい。
【０１０４】
また、タッチセンサをディジタルカメラのＬＣＤモニタに設けて、ディジタルカメラにおいてピンチ操作およびドラッグ操作を可能にし、上述の各処理をディジタルカメラ単体で完結するようにしてもよい。
【０１０５】
また、ディジタルカメラのキー入力装置およびモニタ部を省略し、外部制御装置においてのみ各操作および画像表示を行うことができるようにしてもよい。
【０１０６】
また、この実施例では、移動操作の後に記録操作がなされたとき、光学ズームアウト処理およびディジタルズームイン処理を施した画像を記録するようにしたが、光学ズームアウト処理のみを施した画像もともに記録するようにしてもよい。
【０１０７】
また、この実施例では、ズームイン操作が行われたときに光学ズームイン処理またはディジタルズームイン処理を実行し、移動操作が行われたときに光学ズームアウト処理およびディジタルズームイン処理を実行するようにした。しかし、スルー画像の表示中は、最小ズーム倍率を示す位置にズームレンズを配置し、各操作が行われた時点ではディジタルズームイン処理またはディジタルズームアウト処理を実行するようにしてもよい。また、このようなディジタルズームイン処理およびディジタルズームアウト処理は、表示レスポンスの向上を図るべく、外部制御装置内部で実行するようにしてもよい。この場合、好ましくは、記録操作が行われた時点で、記録画質の向上を図るべく光学ズームイン処理が実行され、記録画像の抽出範囲を調整するべくディジタルズームイン処理が実行される。
【０１０８】
また、この実施例では、マルチタスクＯＳおよびこれによって実行される複数のタスクに相当する制御プログラムは、フラッシュメモリ４４または６４に予め記憶される。しかし、通信Ｉ／Ｆ４６および６６の各々と外部サーバとを接続するようにし、一部の制御プログラムを内部制御プログラムとしてフラッシュメモリ４４または６４に当初から準備する一方、他の一部の制御プログラムを外部制御プログラムとして外部サーバから取得するようにしてもよい。この場合、上述の動作は、内部制御プログラムおよび外部制御プログラムの協働によって実現される。
【０１０９】
また、この実施例では、ＣＰＵ５２によって実行される処理を、図１５〜１８に示すフロー図に従う処理を含む複数の処理に区分するようにし、ＣＰＵ２６によって実行される処理を、図１９および２０に示す撮像タスクを含む複数のタスクに区分するようにしている。しかし、これらのタスクをさらに複数の小タスクに区分してもよく、さらには区分された複数の小タスクの一部を他のタスクに統合するようにしてもよい。また、複数の小タスクに区分する場合、その全部または一部を外部サーバから取得するようにしてもよい。
【０１１０】
また、この実施例では、ディジタルスチルカメラを用いて説明したが、本発明は、ディジタルビデオカメラにも適用することができる。
【０１１１】
また、この実施例では、ディジタルカメラおよび外部制御装置を組み合わせたカメラシステムを用いて説明したが、本発明は、ディジタルカメラ、携帯電話端末またはスマートフォンなどを相互に組み合わせたカメラシステムにも適用することができる。
【符号の説明】
【０１１２】
１０  …  ディジタルカメラ
１２  …  ズームレンズ
２６  …  ＣＰＵ
４６  …  通信Ｉ／Ｆ
５０  …  外部制御装置
５２  …  ＣＰＵ
６０  …  ＬＣＤモニタ
６２  …  タッチセンサ
６６  …  通信Ｉ／Ｆ
１００  …  カメラシステム
【図１】
2013098636.tif 000003
【図２】
2013098636.tif 000004
【図３】
2013098636.tif 000005
【図４】
2013098636.tif 000006
【図５】
2013098636.tif 000007
【図６】
2013098636.tif 000008
【図７】
2013098636.tif 000009
【図８】
2013098636.tif 000010
【図９】
2013098636.tif 000011
【図１０】
2013098636.tif 000012
【図１１】
2013098636.tif 000013
【図１２】
2013098636.tif 000014
【図１３】
2013098636.tif 000015
【図１４】
2013098636.tif 000016
【図１５】
2013098636.tif 000017
【図１６】
2013098636.tif 000018
【図１７】
2013098636.tif 000019
【図１８】
2013098636.tif 000020
【図１９】
2013098636.tif 000021
【図２０】
2013098636.tif 000022